【手続補正書】
【提出日】令和2年11月16日(2020.11.16)
【手続補正１】
【補正対象書類名】特許請求の範囲
【補正対象項目名】全文
【補正方法】変更
【補正の内容】
【特許請求の範囲】
【請求項１】
シートを収容する収容手段と、
前記シートに画像を形成する画像形成手段と、
画像が形成されたシートを排出する排出手段と、
前記収容手段から前記画像形成手段を経由して前記排出手段に至る主搬送路と、
前記主搬送路から分岐し、第一面に画像が形成されたシートの第二面に画像を形成するために当該シートを引き込む補助搬送路と、
前記補助搬送路に接続され、前記第一面に画像が形成されたシートの搬送方向を反転させる反転搬送路と、
前記反転搬送路から送り込まれてきた前記第一面に画像が形成されたシートを前記画像形成手段に再び送り込むために当該シートを前記主搬送路まで搬送する両面搬送路と、
前記主搬送路において前記シートの搬送方向で前記画像形成手段よりも上流側で、かつ、前記主搬送路と前記両面搬送路との合流部よりも下流側に設けられたレジストレーションローラと、
前記第一面に画像が形成されたシートを第一方向に搬送することで当該シートを前記反転搬送路に引き込み、前記第一方向とは反対の第二方向に当該シートを搬送することで当該シートを前記両面搬送路へ送り込む反転ローラと、
前記両面搬送路において前記反転搬送路と前記両面搬送路との接続点よりも下流側に設けられ、前記反転ローラから受け渡されたシートを搬送する第一ローラと、
前記反転ローラと前記第一ローラとを駆動する第一モータと、
前記反転ローラが前記第一方向にシートを搬送している間は前記第一モータから前記第一ローラへの駆動力の伝達を制限し、前記反転ローラが前記第二方向にシートを搬送している間は前記第一モータから前記第一ローラへの駆動力の伝達を許可するワンウェイクラッチと、
前記両面搬送路において前記シートの搬送方向で前記第一ローラよりも下流側に設けられた第二ローラと、
前記両面搬送路において前記シートの搬送方向で前記第二ローラよりも下流側に設けられた第三ローラと、
前記第二ローラと前記第三ローラとを駆動する第二モータと、
前記第一モータおよび前記第二モータを制御する制御手段と、を有し、
前記制御手段は、前記両面搬送路を搬送されるシートを前記第二ローラに突き当てて待機させた後で当該シートの搬送を再開するときに前記第一モータと前記第二モータとの両方を駆動することを特徴とする画像形成装置。
【請求項２】
前記制御手段は、ｉ＋１番目のシートが前記第二ローラに向かっているときに当該ｉ＋１番目のシートに先行して搬送されているｉ番目のシートが前記レジストレーションローラに待機している場合に、前記ｉ＋１番目のシートを前記第二ローラに突き当てて待機させ、前記ｉ番目のシートが前記レジストレーションローラに待機していない場合に、前記ｉ＋１番目のシートを前記第二ローラで待機させずに前記第二ローラにより搬送させることを特徴とする請求項１に記載の画像形成装置。
【請求項３】
前記制御手段は、前記レジストレーションローラが前記ｉ番目のシートの搬送を再開すると、前記第二ローラによる前記ｉ＋１番目のシートの搬送を再開することを特徴とする請求項２に記載の画像形成装置。
【請求項４】
更に、前記両面搬送路において前記第二ローラと前記第三ローラとの間に設けられ、前記第二ローラを通過してきたシートを検知する検知手段を有し、
前記制御手段は、前記第二モータの駆動を再開して前記第二ローラによる前記ｉ＋１番目のシートの搬送を再開したときに、前記ｉ＋１番目のシートに後続するｉ＋２番目のシートが存在しない場合、前記第一モータを再駆動し、前記ｉ＋２番目のシートが存在する場合、前記検知手段の検知結果に基づき前記ｉ＋１番目のシートの搬送の再開が成功したかどうかを判定し、前記ｉ＋１番目のシートの搬送の再開が成功していれば、前記第一モータを再駆動しないで前記第二モータにより前記ｉ＋１番目のシートの搬送を継続することを特徴とする請求項３に記載の画像形成装置。
【請求項５】
前記制御手段は、前記検知手段の検知結果に基づき前記ｉ＋１番目のシートの搬送の再開が所定時間以内に成功したかどうかを判定し、前記ｉ＋１番目のシートの搬送の再開が所定時間以内に成功しなければ、前記第二モータを停止させ、前記ｉ＋１番目のシートが前記反転搬送路と前記両面搬送路との接続部に到着すると、前記第二モータの駆動を再開し、かつ、前記第一モータを駆動することを特徴とする請求項４に記載の画像形成装置。
【請求項６】
前記制御手段は、前記ｉ＋１番目のシートを前記第二ローラに突き当てて待機させる場合に、前記ｉ＋１番目のシートの先端部にループが形成されるように前記第一モータおよび前記第二モータを制御することを特徴とする請求項２ないし５のいずれか一項に記載の画像形成装置。
【請求項７】
前記制御手段は、前記ｉ＋１番目のシートの先端部にループが形成されるように前記ｉ＋１番目のシートを前記第二ローラに突き当てる際に前記第二モータの回転速度を低下させることを特徴とする請求項６に記載の画像形成装置。
【請求項８】
前記制御手段は、前記ｉ＋１番目のシートを前記第二ローラに突き当てる際に、前記第二ローラの周速度が前記第一ローラの周速度よりも低下するように、前記第二モータの回転速度を低下させることを特徴とする請求項７に記載の画像形成装置。
【請求項９】
前記反転搬送路および前記両面搬送路の長さは三枚のＡ４サイズのシートまたはレターサイズのシートが待機可能な長さであることを特徴とする請求項１ないし８のいずれか一項に記載の画像形成装置。
【請求項１０】
シートを収容する収容手段と、
前記シートに画像を形成する画像形成手段と、
画像が形成されたシートを排出する排出手段と、
前記収容手段から前記画像形成手段を経由して前記排出手段に至る主搬送路と、
第一面に画像が形成されたシートを前記主搬送路から引き込み、当該シートの搬送方向を反転させる反転搬送路と、
前記反転搬送路から送り込まれてきた前記第一面に画像が形成されたシートを前記画像形成手段に再び送り込むために当該シートを前記主搬送路まで搬送する両面搬送路と、
前記主搬送路において前記シートの搬送方向で前記画像形成手段よりも上流側で、かつ、前記主搬送路と前記両面搬送路との合流部よりも下流側に設けられた回転体と、
前記第一面に画像が形成されたシートを第一方向に搬送することで当該シートを前記反転搬送路に引き込み、前記第一方向とは反対の第二方向に当該シートを搬送することで当該シートを前記両面搬送路へ送り込む反転手段と、
前記両面搬送路において前記反転搬送路と前記両面搬送路との接続点よりも下流側に設けられ、前記反転手段から受け渡されたシートを搬送する第一搬送手段と、
前記反転手段と前記第一搬送手段とを駆動する第一駆動手段と、
前記反転手段が前記第一方向にシートを搬送している間は前記第一駆動手段から前記第一搬送手段への駆動力の伝達を制限し、前記反転手段が前記第二方向にシートを搬送している間は前記第一駆動手段から前記第一搬送手段への駆動力の伝達を許可する制限手段と、
前記両面搬送路において前記シートの搬送方向で前記第一搬送手段よりも下流側に設けられた第二搬送手段と、
前記両面搬送路において前記シートの搬送方向で前記第二搬送手段よりも下流側に設けられた第三搬送手段と、
前記第二搬送手段と前記第三搬送手段とを駆動する第二駆動手段と、
前記第一駆動手段および前記第二駆動手段を制御する制御手段と、を有し、
前記制御手段は、前記両面搬送路を搬送されるシートを前記第二搬送手段で待機させた後で当該シートの搬送を再開するときに前記第一駆動手段と前記第二駆動手段との両方を駆動することを特徴とする画像形成装置。
【請求項１１】
シートに画像を形成する画像形成手段と、
前記画像形成手段により第一面に画像が形成されたシートを、前記シートの第二面に画像を形成するための搬送路に送り出す第一回転体と、
前記搬送路の搬送方向において、前記第一回転体の下流に位置する第二回転体と、
前記搬送路の搬送方向において、前記第二回転体の下流に位置する第三回転体と、
前記搬送路の搬送方向において、前記第三回転体の下流に位置する第四回転体と、
前記第一回転体および前記第二回転体を駆動する第一駆動手段と、
前記第三回転体および前記第四回転体を駆動する第二駆動手段と、
前記第一駆動手段および前記第二駆動手段を制御する制御手段と、を有し、
前記制御手段は、前記搬送路を搬送されるシートを前記第三回転体で待機させた後で当該シートの搬送を再開するときに前記第一駆動手段と前記第二駆動手段との両方を駆動することを特徴とする画像形成装置。
【手続補正２】
【補正対象書類名】明細書
【補正対象項目名】０００５
【補正方法】変更
【補正の内容】
【０００５】
本発明は、たとえば、
シートを収容する収容手段と、
前記シートに画像を形成する画像形成手段と、
画像が形成されたシートを排出する排出手段と、
前記収容手段から前記画像形成手段を経由して前記排出手段に至る主搬送路と、
前記主搬送路から分岐し、第一面に画像が形成されたシートの第二面に画像を形成するために当該シートを引き込む補助搬送路と、
前記補助搬送路に接続され、前記第一面に画像が形成されたシートの搬送方向を反転させる反転搬送路と、
前記反転搬送路から送り込まれてきた前記第一面に画像が形成されたシートを前記画像形成手段に再び送り込むために当該シートを前記主搬送路まで搬送する両面搬送路と、
前記主搬送路において前記シートの搬送方向で前記画像形成手段よりも上流側で、かつ、前記主搬送路と前記両面搬送路との合流部よりも下流側に設けられたレジストレーションローラと、
前記第一面に画像が形成されたシートを第一方向に搬送することで当該シートを前記反転搬送路に引き込み、前記第一方向とは反対の第二方向に当該シートを搬送することで当該シートを前記両面搬送路へ送り込む反転ローラと、
前記両面搬送路において前記反転搬送路と前記両面搬送路との接続点よりも下流側に設けられ、前記反転ローラから受け渡されたシートを搬送する第一ローラと、
前記反転ローラと前記第一ローラとを駆動する第一モータと、
前記反転ローラが前記第一方向にシートを搬送している間は前記第一モータから前記第一ローラへの駆動力の伝達を制限し、前記反転ローラが前記第二方向にシートを搬送している間は前記第一モータから前記第一ローラへの駆動力の伝達を許可するワンウェイクラッチと、
前記両面搬送路において前記シートの搬送方向で前記第一ローラよりも下流側に設けられた第二ローラと、
前記両面搬送路において前記シートの搬送方向で前記第二ローラよりも下流側に設けられた第三ローラと、
前記第二ローラと前記第三ローラとを駆動する第二モータと、
前記第一モータおよび前記第二モータを制御する制御手段と、を有し、
前記制御手段は、前記両面搬送路を搬送されるシートを前記第二ローラに突き当てて待機させた後で当該シートの搬送を再開するときに前記第一モータと前記第二モータとの両方を駆動することを特徴とする画像形成装置を提供する。
【手続補正３】
【補正対象書類名】明細書
【補正対象項目名】００３６
【補正方法】変更
【補正の内容】
【００３６】
次に注目シート（シート２Ｂ）の搬送が説明される。ＣＰＵ２０１はモータＭ１を逆回転させることで第一ローラ７１を駆動し、第一ローラ７１よりシート２Ｂを搬送する。シート２Ｂが第二ローラ７２へ突入する時刻ｔｈに、ＣＰＵ２０１は、モータＭ１による搬送速度を３００ｍｍ／ｓからＶ２（＝２００ｍｍ／ｓ）に減速させる。シート２Ｂの先端が第二ローラ７２から所定距離進んだ時刻ｔｉに、ＣＰＵ２０１はモータＭ１を停止させる。ここで、時刻ｔｉにモータＭ２（第二ローラ７２）が停止しているため、シート２Ｂの先端は第二ローラ７２を突き抜けることなく停止する。